(57)【特許請求の範囲】
【請求項１】
階調・色再現性が既知である標準用紙の階調・色再現性に基づいて、階調・色再現性が未知である対象用紙の階調・色再現性を求める色変換方法であって、
前記標準用紙に対応する階調・色再現性を記憶する第１過程と、
前記標準用紙上の測光量または測色値と、前記対象用紙上の測光量または測色値との比率を、信号強度０％で画像出力された下地部と０％以外の信号強度で画像出力された画像部との少なくとも２箇所で求める第２過程と、
前記標準用紙の下地部の所定の色空間における座標と下地部での前記比率とから求められた前記対象用紙の下地部の該色空間における座標と、前記標準用紙の画像部の該色空間における座標と画像部での前記比率とから求められた前記対象用紙の画像部の該色空間における座標との距離が信号強度に応じてリニアになるように、前記対象用紙に対応する階調・色再現性を求める第３過程と
を有することを特徴とする色変換方法。
【請求項２】
前記第２過程において用いられる比率は、前記各測光量、または測色値を肉眼に対する刺激値によって表現した測光量、または測色値であることを特徴とする請求項１記載の色変換方法。
【請求項３】
前記第３過程において得られる階調・色再現性は、肉眼に対する刺激値によって表現した階調・色再現性であり、
前記第２過程の前に入力画像データを該肉眼に対する刺激値に変換する過程と、
前記第３過程において得られる階調・色再現性によって色補正を行う過程と、
色補正が行われた後の画像データを画像形成用の色空間に変換する過程と
を有することを特徴とする請求項１記載の色変換方法。
【請求項４】
階調・色再現性が既知である標準用紙の階調・色再現性に基づいて、階調・色再現性が未知である対象用紙の階調・色再現性を求める色変換処理装置であって、
前記標準用紙に対応する階調・色再現性を記憶する記憶手段と、
前記標準用紙上の測光量または測色値と、前記対象用紙上の測光量または測色値との比率を、信号強度０％で画像出力された下地部と０％以外の信号強度で画像出力された画像部との少なくとも２箇所で求める比率算出手段と、
前記標準用紙の下地部の所定の色空間における座標と下地部での前記比率とから求められた前記対象用紙の下地部の該色空間における座標と、前記標準用紙の画像部の該色空間における座標と画像部での前記比率とから求められた前記対象用紙の画像部の該色空間における座標との距離が信号強度に応じてリニアになるように、前記対象用紙に対応する階調・色再現性を求める階調・色再現性算出手段と
を有することを特徴とする色変換処理装置。
【請求項５】
請求項４に記載の色変換処理装置と、
画像データを入力する画像入力手段と、
前記階調・色再現性算出手段で求められた階調・色再現性に従って、前記画像入力手段で入力された画像データを補正する補正手段と、
前記補正手段で補正された画像データに基づいて前記対象用紙上に画像を形成する画像出力手段と
を有する記録装置。
【請求項６】
階調・色再現性が既知である標準用紙の階調・色再現性に基づいて、階調・色再現性が未知である対象用紙の階調・色再現性を求めるためのプログラムを記録したコンピュータ読み取り可能な記録媒体であって、
コンピュータに、
前記標準用紙に対応する階調・色再現性を記憶する第１過程と、
前記標準用紙上の測光量または測色値と、前記対象用紙上の測光量または測色値との比率を、信号強度０％で画像出力された下地部と０％以外の信号強度で画像出力された画像部との少なくとも２箇所で求める第２過程と、
前記標準用紙の下地部の所定の色空間における座標と下地部での前記比率とから求められた前記対象用紙の下地部の該色空間における座標と、前記標準用紙の画像部の該色空間における座標と画像部での前記比率とから求められた前記対象用紙の画像部の該色空間における座標との距離が信号強度に応じてリニアになるように、前記対象用紙に対応する階調・色再現性を求める第３過程と
を実行させるプログラムを記録したコンピュータ読み取り可能な記録媒体。
【発明の詳細な説明】
【０００１】
【発明の属する技術分野】
本発明は、色変換方法、色変換処理装置、記録装置および記録媒体に関する。
【０００２】
【従来の技術】
カラー複写機やカラープリンタで画像出力を行う際に、用途に応じて普通紙や再生紙等、様々な記録紙を使い分ける傾向が強くなっている。しかし、記録紙の相違に応じて階調再現性が異なるため、様々な記録紙に応じて色予測を行ない、最適な画像を出力する需要がある。そこで、記録紙に応じて階調・色再現性を変更する技術が特開平５−２４４４１７号公報等に開示されている。
【０００３】
【発明が解決しようとする課題】
しかし、画像出力レベル（面積率）と肉眼に対する刺激値には非線形な関係があり、新たな記録紙に対する階調・色再現性を得るためには、様々なレベルで画像出力を行ない、その結果をスキャナなどの測色機で読み込み、両者の差異に応じて階調・色再現性を設定するという煩雑な作業が必要になる。一般的に、精細な階調・色再現性を得るためには１色あたり３０点程度のデータを採取する必要があり、粗い階調・色再現性を得る場合であっても１色あたり１０点程度のデータを採取する必要がある。
この発明は上述した事情に鑑みてなされたものであり、簡易な調整で様々な記録紙に対応できる色変換方法、色変換処理装置、記録装置および記録媒体を提供することを目的としている。
【０００４】
【課題を解決するための手段】
上記課題を解決するため請求項１記載の構成にあっては、階調・色再現性が既知である標準用紙の階調・色再現性に基づいて、階調・色再現性が未知である対象用紙の階調・色再現性を求める色変換方法であって、前記標準用紙に対応する階調・色再現性を記憶する第１過程と、前記標準用紙上の測光量または測色値と、前記対象用紙上の測光量または測色値との比率を、信号強度０％で画像出力された下地部と０％以外の信号強度で画像出力された画像部との少なくとも２箇所で求める第２過程と、前記標準用紙の下地部の所定の色空間における座標と下地部での前記比率とから求められた前記対象用紙の下地部の該色空間における座標と、前記標準用紙の画像部の該色空間における座標と画像部での前記比率とから求められた前記対象用紙の画像部の該色空間における座標との距離が信号強度に応じてリニアになるように、前記対象用紙に対応する階調・色再現性を求める第３過程とを有することを特徴とする。
さらに、請求項２記載の構成にあっては、請求項１記載の色変換方法において、前記第２過程において用いられる比率は、前記各測光量、または測色値を肉眼に対する刺激値によって表現した測光量、または測色値であることを特徴とする。
また、請求項３記載の構成にあっては、前記第３過程において得られる階調・色再現性は、肉眼に対する刺激値によって表現した階調・色再現性であり、前記第２過程の前に入力画像データを該肉眼に対する刺激値に変換する過程と、前記第３過程において得られる階調・色再現性によって色補正を行う過程と、色補正が行われた後の画像データを画像形成用の色空間に変換する過程とを有することを特徴とする。
また、請求項４記載の構成にあっては、階調・色再現性が既知である標準用紙の階調・色再現性に基づいて、階調・色再現性が未知である対象用紙の階調・色再現性を求める色変換処理装置であって、前記標準用紙に対応する階調・色再現性を記憶する記憶手段と、前記標準用紙上の測光量または測色値と、前記対象用紙上の測光量または測色値との比率を、信号強度０％で画像出力された下地部と０％以外の信号強度で画像出力された画像部との少なくとも２箇所で求める比率算出手段と、前記標準用紙の下地部の所定の色空間における座標と下地部での前記比率とから求められた前記対象用紙の下地部の該色空間における座標と、前記標準用紙の画像部の該色空間における座標と画像部での前記比率とから求められた前記対象用紙の画像部の該色空間における座標との距離が信号強度に応じてリニアになるように、前記対象用紙に対応する階調・色再現性を求める階調・色再現性算出手段とを有することを特徴とする。
また、請求項５記載の構成にあっては、請求項４に記載の色変換処理装置と、画像データを入力する画像入力手段と、前記階調・色再現性算出手段で求められた階調・色再現性に従って、前記画像入力手段で入力された画像データを補正する補正手段と、前記補正手段で補正された画像データに基づいて前記対象用紙上に画像を形成する画像出力手段とを有することを特徴とする。
また、請求項６記載の構成にあっては、階調・色再現性が既知である標準用紙の階調・色再現性に基づいて、階調・色再現性が未知である対象用紙の階調・色再現性を求めるためのプログラムを記録したコンピュータ読み取り可能な記録媒体であって、コンピュータに、前記標準用紙に対応する階調・色再現性を記憶する第１過程と、前記標準用紙上の測光量または測色値と、前記対象用紙上の測光量または測色値との比率を、信号強度０％で画像出力された下地部と０％以外の信号強度で画像出力された画像部との少なくとも２箇所で求める第２過程と、前記標準用紙の下地部の所定の色空間における座標と下地部での前記比率とから求められた前記対象用紙の下地部の該色空間における座標と、前記標準用紙の画像部の該色空間における座標と画像部での前記比率とから求められた前記対象用紙の画像部の該色空間における座標との距離が信号強度に応じてリニアになるように、前記対象用紙に対応する階調・色再現性を求める第３過程とを実行させることを特徴とする。
【０００５】
【発明の実施の形態】
１．実施形態の原理
１．１．三刺激値ＸＹＺによる色度表現
後述する各実施形態のカラー複写機においては、所定の標準用紙（一般的には上質紙）に対する階調・色再現性が予め決定される。次に、実際に使用される任意の対象用紙に対して所定レベルの評価パッチの画像出力が行われ、スキャナなどの測色機を介して実際の測光量、または測色値が測定される。この出力レベルに応じて標準用紙と対象用紙との相対的な測光量、または測色値比（記録紙相対係数）を求め、階調・色再現性が決定される。
【０００６】
後述する各実施形態においては、三刺激値ＸＹＺを用いている。すなわち、三刺激値ＸＹＺを正規化してｘｙｚ色度座標を求め、再び記録紙相対係数で正規化し直すものである。以下、三刺激値Ｙと色度ｙを使って説明するが、色度ｘｚ上でも同様に成り立つ。具体的には、例えば基準となる記録紙の白地部での色度座標ｙｐは、白地部で測色した三刺激値Ｙｐを、光源の三刺激値Ｙ０で正規化したものに相当する。（式(１)参照）
ｙｐ ＝ Yp / Y０                            式（１）
また、同様に、所望の記録紙での白地部の色度ｙaは、三刺激値Yaと式(１)から次式（式(２)参照）に変形できる。
ｙa ＝ Ya / Y０ ＝ Yp / Y０ × Ya / Yｐ    式（２）
標準的な記録紙の三刺激値は、予め準備可能であり、入力が必要な情報は、所望の記録紙上の三刺激値だけである。
【０００７】
１．２．三刺激値ＸＹＺによる階調補正
三刺激値ＸＹＺを用いたことにより、各実施形態においては採取すべきデータ数をきわめて少ない数に抑えることが可能である。その原理を図４を参照し説明する。同図は、マジェンタ色の出力レベルに対する、標準用紙（普通紙）と再生紙の三刺激値ＸＹＺの比、すなわち「再生紙上の刺激値／標準用紙上の刺激値」を示す図である。
【０００８】
図において横軸はマジェンタ色の信号強度を徐々に低下させていったサンプル番号を表している。すなわち、サンプル番号「１」が信号強度１００％、サンプル番号「２１」が信号強度０％（下地色）に対応する。同図から明らかなように、三刺激値ＸＹＺの比は、信号強度０％付近を除いて出力レベルにかかわらずほぼ一定である。すなわち、標準用紙と対象用紙との階調・色再現性の相違は、信号強度０％における測光量、または測色値比と、平坦部分における測光量、または測色値比とによってほぼ表現できることが解る。
【０００９】
なお、三刺激値ＸＹＺに限られず、肉眼に対する刺激値によって標準用紙および対象用紙の階調・色再現性を比較した時は、これと同様の傾向が見られる。これにより、標準用紙における階調・色再現性と、対象用紙における僅かな数の評価パッチに対する測光量、または測色値データが得られれば、対象用紙における精細な階調・色再現性を得ることができる。
【００１０】
２．第１実施形態
２．１．実施形態の構成
次に、本発明の第１実施形態のカラー複写機の構成を図１を参照し説明する。図において９はメモリであり、カラー複写機の動作を制御する制御プログラムや各種のデータが記憶される。２は制御回路であり、該制御プログラムに基づいてカラー複写機の各部を制御する。１３は操作表示パネルであり、ユーザから種々の指令を入力するとともに、ユーザに対して種々の情報を表示する。
【００１１】
１は画像入力部であり、原稿から読み取った入力画像データをＣＩＥ Ｌ*ａ*ｂ*形式で出力する。３は３次元ルックアップテーブルであり、このＣＩＥ Ｌ*ａ*ｂ*形式の入力画像をＣＭＹＫ形式に変換する。なお、３次元ルックアップテーブル３のアドレスは、ＣＩＥ Ｌ*ａ*ｂ*空間の位置を示している。
【００１２】
入力画像データがその格子間の値をとる場合には該入力画像データは格子点の内分点として把握され、周囲８点の格子点での出力値の荷重和が出力される。なお、このような処理を行う点は他のルックアップテーブルについても同様である。４〜７はＣＭＹＫの各色毎に設けられた１次元ルックアップテーブルであり、各色毎に、対象用紙に応じた階調・色再現性を施す。なお、１次元ルックアップテーブル４〜７内の係数は、標準用紙に対応した階調・色再現性が施されるように、予め設定されている。
【００１３】
８はテスト信号発生器であり、評価パッチを形成するために所定のテスト信号を出力する。１０はスイッチであり、制御回路２の制御に基づいて、１次元ルックアップテーブル４〜７あるいはテスト信号発生器８のうち一方を選択する。１１は中間調発生部であり、スイッチ１０を介して供給された画像データに対してディザ化処理あるいは誤差拡散処理を施す。１２はゼログラフィ形式の画像出力部であり、中間調発生部１１から出力された画像データに基づいて、記録紙上に画像形成を行う。
【００１４】
２．２．実施形態の動作
次に本実施形態の動作を説明する。ユーザが操作表示パネル１３において所定の操作を行うと、カラー複写機がテストモードになり、スイッチ１０においてテスト信号発生器８が選択される。次に、テスト信号発生器８からテスト信号が出力される。このテスト信号は、ＣＭＹＫ各色の信号強度５０％の評価パッチを記録紙内に形成させる信号である。テスト信号は、スイッチ１０、中間調発生部１１を介して画像出力部１２に供給され、画像出力部１２からテスト信号を形成した記録紙（対象用紙）が排出される。
【００１５】
次に、「排出された記録紙をプラテンガラスに置いてスタートボタンを押してください」とのメッセージが操作表示パネル１３に表示される。ユーザが画像入力部１のプラテンガラス上に記録紙を載置して操作表示パネル１３内のスタートボタンを押下すると、該記録紙が読み込まれ、その内容がＣＩＥ Ｌ*ａ*ｂ*形式の画像データとして出力される。
【００１６】
記録紙上の各評価パッチの位置および下地部の位置は既定であるから、これらの測定箇所（ＣＭＹＫの各色および下地部の計５箇所）の画像データは制御回路２に供給され、三刺激値ＸＹＺ形式の画像データ（Ｘp，Ｙp，Ｚp）に変換される。ここで、標準用紙におけるこれら５箇所の三刺激値ＸＹＺ形式の画像データ（Ｘi，Ｙi，Ｚi）は予め測定されメモリ９に記憶されている。そこで、５箇所の測定点における相対比率（Ｘp／Ｘi，Ｙp／Ｙi，Ｚp／Ｚi）が制御回路２において求められる。
【００１７】
また、標準用紙の下地部のＣＩＥ Ｌ*ａ*ｂ*値も予めメモリ９に記憶されている。そして、対象用紙の下地部のＣＩＥ Ｌ*ａ*ｂ*値は先に画像入力部１から供給されている。そこで、制御回路２においては、ＣＩＥ Ｌ*ａ*ｂ*空間内における両者の色差ΔＥab0が求められる。これは、信号強度５０％時においても同様であり、信号強度５０％時における標準用紙および対象用紙のＣＩＥ Ｌ*ａ*ｂ*空間内の色差ΔＥab50も求められる。
【００１８】
上述したように、相対比率（Ｘp／Ｘi，Ｙp／Ｙi，Ｚp／Ｚi）は５箇所の測定点について求められているが、一色あたりで考えると、信号強度５０％時の相対比率（Ｘp50／Ｘi50，Ｙp50／Ｙi50，Ｚp50／Ｚi50）と、信号強度０％時の相対比率（Ｘp0／Ｘi0，Ｙp0／Ｙi0，Ｚp0／Ｚi0）の２箇所の測定点のデータのみが求められていることになる。
【００１９】
本実施形態においては、信号強度０％近傍（例えば０〜５％）以外における相対比率は（Ｘp50／Ｘi50，Ｙp50／Ｙi50，Ｚp50／Ｚi50）で一定であるとみなされる。この前提により、全信号強度における測光量、または測色値の三刺激値ＸＹＺが特定されるから、ＣＭＹＫの階調・色再現性が決定され、その内容が１次元ルックアップテーブル４〜７内に書込まれる。その際、記録紙と画像部との色差が入力信号強度に応じて、色差ΔＥabがリニアに変化するように階調特性が決定される。
【００２０】
処理手順として説明すると以下のとおりである。
色信号階調係数として、標準的な記録紙での入力ＣＭＹＫ記録色信号と出力ＣＭＹＫ記録信号の関係を記述した変換表を、予め準備しておく。ここで、入力ＣＭＹＫ記録色信号、および出力ＣＭＹＫ記録色信号とは、階調変換工程を施す前後記録色信号のことである。
色信号階調特性は、入力ＣＭＹＫ記録信号それぞれに対して、記録紙からの色差ΔＥabがリニアになるように出力ＣＭＹＫ記録色信号を決定している。
また、階調係数変換工程においては、前述の標準階調係数に対して、任意の記録紙相対係数を展開し、任意の記録紙に対応する階調変換係数を作成している。具体的には、入力ＣＭＹＫ記録色信号に対して、（１）標準的な記録紙のＣＩＥＬ*ａ*ｂ*から前述の記録紙相対係数を使用して、任意の記録紙のＣＩＥ Ｌ*ａ*ｂ*を求め、（２）画像部のＣＩＥ Ｌ*ａ*ｂ*から対応する前述の画像部相対係数を使用して、各々の画像部のＣＩＥ Ｌ*ａ*ｂ*を求め、（３）上述の（１）と（２）から色差ΔＥabがリニアになるように、階調係数を作成し、これを任意の記録紙での階調変換係数とする。
階調変換工程では、入力ＣＭＹＫ信号を、任意の記録紙での階調変換係数を参照し、入力ＣＭＹＫ記録色信号を、任意の記録紙での階調変換係数を参照し、出力ＣＭＹＫ記録色信号に変換する。
これは、記録紙の下地部における色あいを記録紙に出力される画像全体に反映させることにより、該記録紙の下地部も含めて自然な形成画像を得るためである。上述した処理によって得られたマジェンタ色の階調・色再現性の例を図２に示しておく。
【００２１】
以上のように１次元ルックアップテーブル４〜７における係数設定が完了すると、カラー複写機の動作モードは通常モードに戻る。従って、ユーザが原稿を画像入力部１にセットして操作表示パネル１３上のスタートボタンを操作すると、該原稿の内容が読み込まれＣＩＥ Ｌ*ａ*ｂ*形式の入力画像データが画像入力部１から出力される。
【００２２】
この入力画像データは、３次元ルックアップテーブル３においてＣＭＹＫ形式に変換され、各色毎に１次元ルックアップテーブル４〜７に供給される。１次元ルックアップテーブル４〜７においては、使用される記録紙に応じた階調補正が行われ、その結果がスイッチ１０を介して中間調発生部１１に供給される。中間調発生部１１においてはディザ化処理あるいは誤差拡散処理が施され、その結果に基づいて画像出力部１２において画像形成が行われる。
【００２３】
３．第２実施形態
３．１．実施形態の構成
次に、本発明の第２実施形態のカラー複写機の構成を図３を参照し説明する。なお、図において図１の各部に対応する部分には同一の符号を付し、その説明を省略する。
図において２１は変換部であり、画像入力部１から出力されたＣＩＥ Ｌ*ａ*ｂ*形式の入力画像データを変換式で三刺激値ＸＹＺに相互変換する。
２２〜２４は処理部であり、規定の入力信号以下で、用紙部の相対比率と、画像部の相対比率を演算して三刺激値ＸＹＺの各々に対して処理を施し、三刺激値Ｘ’Ｙ’Ｚ’として出力する。
【００２４】
なお、処理部２２〜２４には、標準用紙の階調・色再現性に対応した係数が予め格納されていることとする。２５は３次元ルックアップテーブルであり、三刺激値Ｘ’Ｙ’Ｚ’をＣＭＹＫ方式の画像データに変換し、スイッチ１０に供給する。上述した以外のハードウエア構成は第１実施形態と同様である。
【００２５】
３．２．実施形態の動作
次に本実施形態の動作を説明する。まず、第１実施形態と同様にユーザの操作に基づいて、画像出力部１２からテスト信号を形成した記録紙（対象用紙）が排出される。但し、本実施形態においては、評価パッチはＣＭＹＫのうち一色のみについて形成される。形成する色は任意であるが、ここでは一例として信号強度５０％のマジェンタ色の評価パッチが形成されたこととする。
【００２６】
次に、排出された記録紙がプラテンガラス上に載置され操作表示パネル１３内のスタートボタンが押下されると、その内容がＣＩＥ Ｌ*ａ*ｂ*形式の画像データとして出力される。そして、第１実施形態と同様に、評価パッチ部および下地部の２箇所の測定点における相対比率（Ｘp／Ｘi，Ｙp／Ｙi，Ｚp／Ｚi）が制御回路２において求められる。
【００２７】
次に、この相対比率に基づいて、処理部２２〜２４の内容が対象用紙に対応した係数に変換される。すなわち、信号強度０％近傍（例えば０〜５％）に対応する値は元々の値（標準用紙に対応する値）に対して下地部の相対比率（Ｘp0／Ｘi0，Ｙp0／Ｙi0，Ｚp0／Ｚi0）をそれぞれ乗算した値に変更される。また、信号強度０％近傍以外に対応する値は、元々の値に対して評価パッチ部分の相対比率（Ｘp50／Ｘi50，Ｙp50／Ｙi50，Ｚp50／Ｚi50）をそれぞれ乗算した値に変更される。これにより、処理部２２〜２４の内容は、対象用紙に応じたものに設定されることになる。
【００２８】
以上のように処理部２２〜２４における係数設定が完了すると、カラー複写機の動作モードは通常モードに戻る。従って、ユーザが原稿を画像入力部１にセットして操作表示パネル１３上のスタートボタンを操作すると、該原稿の内容が読み込まれＣＩＥ Ｌ*ａ*ｂ*形式の入力画像データが画像入力部１から出力される。
【００２９】
この入力画像データは、変換部２１においてＸＹＺ形式に変換され、各要素毎に処理部２２〜２４に供給される。処理部２２〜２４においては、前述のように、規定の入力信号以下で、用紙部の相対比率と、画像部の相対比率を演算する処理を行う。次に、処理部２２〜２４によって処理された三刺激値Ｘ’Ｙ’Ｚ’は３次元ルックアップテーブル２５に供給され、ＣＭＹＫ形式の画像データに変換された後スイッチ１０を介して中間調発生部１１に供給される。中間調発生部１１においてはディザ化処理あるいは誤差拡散処理が施され、その結果に基づいて画像出力部１２において画像形成が行われる。
【００３０】
４．変形例
本発明は上述した実施形態に限定されるものではなく、例えば以下のように種々の変形が可能である。
（１）上記各実施形態においては、三刺激値ＸＹＺ形式によって相対比率（Ｘp／Ｘi，Ｙp／Ｙi，Ｚp／Ｚi）を求めたが、相対比率はＣＩＥ Ｌ*ａ*ｂ*表色系、ＲＧＢ表色系、ｓＲＧＢ（standard RGB）色空間等、ＸＹＺ形式に変換可能な各種の形式を用いることができる。要するに、上記各実施形態は、「ある信号強度（上記例では５０％）において三刺激値ＸＹＺで表現した相対比率（Ｘp／Ｘi，Ｙp／Ｙi，Ｚp／Ｚi）は、他の信号強度における三刺激値の相対比率に対しても適用できる」という前提の下に対象用紙の階調・色再現性を求めるものであるから、相対比率そのものが三刺激値ＸＹＺ形式で表現されているか否かは問わないものである。
【００３１】
（２）上記実施形態においては、「信号強度０％近傍を除いて、相対比率は信号強度５０％時の相対比率と等しい」ことを前提としたが、５０％以外の数点の信号強度についても測光量、または測色値を測定し、それらの平均値またはメディアン値を相対比率としてもよい。これによって、測定誤差等の影響を緩和できる。
【００３２】
（３）上記実施形態は本発明をカラー複写機に適用した例を説明したが、本発明はカラー複写機に限られるものではなく、カラー記録装置やカラー表示装置、測色機およびコンピューターなどを組み合わせたシステムにも適用可能である。また、記録装置には、面積変調に限るものでなく、濃度変調や強度変調であっても適用可能である。
その際、上述した各処理をコンピュータ上のソフトウエアで行うことも可能である。すなわち、このソフトウエアを記録したＣＤ−ＲＯＭ等の記録媒体を頒布し、あるいはネットワークを介して配布することにより、上記実施形態と同様の処理を汎用パーソナルコンピュータ等においても行うことができる。
【００３３】
【発明の効果】
以上説明したように本発明によれば、所定の信号強度で画像出力した標準用紙上の測光量、または測色値と、該所定の信号強度で画像出力した対象用紙上の測光量、または測色値との比率に基づいて、他の信号強度においてもこの比率が保持されるように階調・色再現性を求めることができるから、簡易な調整で様々な記録紙に対応して階調・色再現性を決定することができる。
【図面の簡単な説明】
【図１】  本発明の第１実施形態の構成を示すブロック図である。
【図２】  第１実施形態によって得られた階調・色再現性の例を示す図である。
【図３】  本発明の第２実施形態の構成を示すブロック図である。
【図４】  本発明の原理を説明する図である。
【符号の説明】
１  画像入力部
２  制御回路
３  ３次元ルックアップテーブル
４  １次元ルックアップテーブル
４〜７  １次元ルックアップテーブル
８  テスト信号発生器
９  メモリ
１０  スイッチ
１１  中間調発生部
１１  色変換処理工程
１２  画像出力部
１３  操作表示パネル
２１  ３次元ルックアップテーブル
２２〜２４  １次元ルックアップテーブル
２５  ３次元ルックアップテーブル
【図１】
0004023050.tif 000002
【図２】
0004023050.tif 000003
【図３】
0004023050.tif 000004
【図４】
0004023050.tif 000005